(57)【要約】 【課題】長時間に亘って扇風機の風を浴び続けても不快感を感じ難く、快適さを持続し易い扇風機の提供を目的とする。【解決手段】 旋回するプロペラとプロペラを回転させるためのモータとプロペラの少なくとも前面をカバーするセンターハブとセンターハブから渦巻き状に形成されたフィンとからなるパネルと制御部とからなる扇風機において、プロペラによる風速を  ０．１ｍ/ｓ〜０．３ｍ/ｓ  となるように調整した扇風機。   【選択図】  図１
2014092151.tif 000002
【特許請求の範囲】
【請求項１】
旋回するプロペラと前記プロペラを回転させるためのモータと前記プロペラの少なくとも前面をカバーするパネルと制御部とからなる扇風機において、前記プロペラによる風速を０．１ｍ/ｓ〜０．３ｍ/ｓとなるように調整したことを特徴とする扇風機。
【請求項２】
前記プロペラによる風速を０．１ｍ/ｓ〜０．３ｍ/ｓの超微風を実現するモード切り替え又は風量切り替えスイッチを備えてなることを特徴とする請求項1に記載の扇風機。
【請求項３】
前記パネルはセンターハブとセンターハブから渦巻き状に形成されたフィンとからなることを特徴とする請求項1又は請求項２に記載の扇風機。
【発明の詳細な説明】
【技術分野】
【０００１】
本発明は、涼しさを得るために用いられる扇風機に関する。
【背景技術】
【０００２】
従来、扇風機は回転速度の切り替えスイッチを有しており、利用者は利用時の自分の体調や状況に合わせて、扇風機の切り替えスイッチを選択して求める回転速度に設定して扇風機を利用している。扇風機の切り替えスイッチは多段階（３〜８段階）又は無段階に速度を調整可能としているものが多い。
【０００３】
また、最近はＤＣ(直流）モータを採用した低消費電力が実現でき、速度や出力の制御が行い易いＤＣ扇風機も用いられている。
【先行技術文献】
【特許文献】
【０００４】
【特許文献１】特開平１１−１０１１９５
【発明の開示】
【発明が解決しようとする課題】
【０００５】
しかしながら、従来の一般的な扇風機では、長時間に亘って扇風機が発生させた風を直接浴び続けると不快感を感じたり、体のだるさ、肌や目の乾燥、腰痛、肩こり、冷え性などの体調を崩す原因となったり、風邪を引く原因となったりする場合があった。そのため、就寝時には扇風機のタイマーを設定して一定時間だけ風を浴びるように設定して利用している人も多い。しかし、扇風機が止まった途端に暑さを感じてしまうシーンが往々にして発生している。
【０００６】
本発明は、このような従来の課題に鑑みてなされたものであり、長時間に亘って扇風機の風を浴び続けても不快感を感じ難く、快適さを持続し易い扇風機の提供を目的とするものである。
【課題を解決するための手段】
【０００７】
前記課題を解決するために本発明の請求項１の扇風機にあっては、旋回するプロペラと前記プロペラを回転させるためのモータとプロペラの少なくとも前面をカバーするパネルと制御部とからなる扇風機において、プロペラによる風速を０．１ｍ/ｓ〜０．３ｍ/ｓとなるように調整してなる。
【０００８】
さらに、請求項２の扇風機では、プロペラによる風速を０．１ｍ/ｓ〜０．３ｍ/ｓの超微風を実現するモード切り替え又は風量切り替えスイッチを備えてなる。
【０００９】
請求項３の扇風機にあっては、パネルはセンターハブとセンターハブから渦巻き状に形成されたフィンとからなる。
【発明の効果】
【００１０】
以上説明したように、本発明の扇風機にあっては、長時間に亘って扇風機の風を浴び続けても不快感を感じず、快適さを持続し易い扇風機の提供が可能となる。
【発明を実施するための最良の形態】
【００１１】
以下、本発明の一実施の形態を図に従って説明する。図１は、本実施の形態にかかる扇風機を示す図であり、図２は本実施の形態にかかる扇風機のプロペラの斜視図である。図3は本実施の形態にかかる扇風機のパネル図である。
【００１２】
扇風機の本体1は、大きく台座１１、支柱１２、モータ、プロペラ２、およびプロペラを覆うガード3とからなる。
【００１３】
台座１１は支柱１２の起端となるベースとしての機能と、操作スイッチ類を配置する操作部としての機能と、上部のモータやプロペラが転倒し難くするためのおもり（重心）機能を兼ね備えている。
【００１４】
台座は円盤状に形成されており、中心部に支柱の起端部が設けられ、前側表面にはスイッチ１４類が配置されている。本例では、左から電源スイッチ１４１と３つの切り替えスイッチ１４２とタイマー１４３が設けられている。切り替えスイッチはそれぞれ強風、中風、超低風などの３種類の風を選択可能にしたり、モード切替スイッチで超微風モード、通常モード、おやすみモードなどの選択を可能としている。スイッチ類を介して、図示しない電源コードや制御部またはモータへ電気や情報が送られている。
【００１５】
支柱１２は台座から鉛直方向に起立した入れ子式の筒となっている。支柱は大支柱１２１と大支柱に挿通され上下に移動可能な小支柱１２２とからなり、小支柱が大支柱に収容される長さを変えることで、送風部となるプロペラの高さを調整可能としている。
【００１６】
そして、支柱の内部には台座と制御部やモータとを結ぶ電線が挿通されている。又、プロペラを挿通したモータ群は左右方向への首振り動作が可能とされている。
【００１７】
支柱の上部には図示しないモータカバーが設けられ、その内部にはＤＣモータと制御部及び首振機構が配置されている。ＤＣモータは軸シャフトが水平方向に延びたモータで軸シャフトの先端にはプロペラ２が設置されている。本例では制御部をモータカバー内に設けた例で説明したが制御部は台座や支柱に設けても構わない。
【００１８】
図２に示すように、プロペラ２はセンターに設けられた円筒状のハブ２１とハブから外周方向に延びる５枚の羽根２２からなるプロペラファンである。本実施例では5枚の羽根を示したが羽根の枚数は適宜に選択が可能である。そして、プロペラは回転キャップによりモータ軸シャフトに固定されている。
【００１９】
プロペラの少なくとも前後にはガードが設けられている。ガードは前のパネルとなる前ガード３と後ガードと両者をつなぐ中間ガードとからなる。中間ガードは前又は後のガード形状によって兼用が可能な場合には省略が可能である。
【００２０】
図1，３に示すように、扇風機の前面にパネル（前ガード）3が設けられている。パネルには円形のセンターハブ３１とセンターハブから渦巻き状に形成された多数のフィン３２が設けられている。センターハブ３１は厚さが薄く、風を通過させない円盤である。  そして、センターハブ３１から弓形リブで構成されたフィン３２が外方に向かって延びている。フィンは３段構成になっており、センターハブに近い位置から順に1段目、２段目、３段目の弓形リブとなっている。加えて、それぞれの弓形リブの段の間には同心円状の境界リブ３３が設けられている。本例では、3段構成で説明したが、2段構成とすることもできる。
【００２１】
本扇風機では直流駆動のDCモータを用いている。そのために低消費電力が実現でき、速度や出力の制御が行い易くなっている。
【００２２】
本発明では、前パネルとプロペラ及びＤＣモータの選択によって、従来の扇風機では実施できなかった風速０．１〜０．３ｍ/ｓの超微風動作が可能となった。
【００２３】
なお、風速の測定方法はＪＩＳＣ9601の規格の方法を一部用いて、測定距離を２．５Ｍと変更して測定した。すなわち、「静かな大気中で、床面その他外物の影響を受けない台の上に扇風機を置き、定格周波数定格電圧を加えて運転し羽の前縁から２．５メートル離れた中心線上で10cm風車形風速計を用いて測定。」した。なお、高さはプロペラ正面の高さと同一高さとした。
【００２４】
上記の構成で２．５メートル離れた地点での風速が０．１〜０．３ｍ/ｓの風になるように設定してある。そして２．５メートル離れた地点での風速が０．１〜０．３ｍ/ｓの風速となる超微風を実現するモードの切り替えスイッチや風量切り替えスイッチが設けてあり、利用者が快適な超微風を求める場合にはそれらのボタンを選択するだけで心地よい風が得られことになる。
なお、スイッチは無段階のダイヤルによって実現することも可能であるし、それらを選択可能なリモコンとすることも可能である。
【００２５】
なお、風速が０．１〜０．３ｍ/ｓの扇風機の超微風を体に受けた場合、被験者はかすかな清涼感が得られ、心地良い風を感じることが出来た。そして、長時間に亘って扇風機の風を浴び続けても不快感を感じ難く、快適さを持続し易くなった。
【００２６】
本構成を用いることで風速が０．１〜０．３ｍ/ｓの扇風機が実現でき、長時間に亘って扇風機の風を浴び続けても不快感を感じ難く、快適さを持続し易い画期的な扇風機が得られた。
【図面の簡単な説明】
【００２７】
【図１】本実施の形態にかかる扇風機を示す図である。
【図２】本実施の形態にかかる扇風機を下方から見た図である。
【図３】本実施の形態にかかる扇風機においてケースの一部を取り除いた図。
【符号の説明】
【００２８】
１    本体（扇風機）
１１    台座
１２    支柱
１２１    大支柱
１２２    小支柱
１４      スイッチ
１４１      電源スイッチ
１４２      切り替えスイッチ
１４３      タイマー
１６      切り替えスイッチ
２      プロペラ
２１    ハブ
２２    羽根
３      パネル（前ガード）
３１    センターハブ
３２    フィン
３３    境界リブ
４      後ガード
【図１】
2014092151.tif 000003
【図３】
2014092151.tif 000004
【図２】
2014092151.tif 000005